(57)【要約】【課題】生産性を向上できる音声出力装置を提供すること。【解決手段】音声出力装置は、ディスク記録／読取装置と、スピーカ装置５と、これらを収納保持する筐体とを備えている。筺体には、ディスク記録／読取装置およびスピーカ装置５のいずれか一方を支持する支持柱７が立設されている。支持柱７は、筺体と一体に形成された柱状部７１と、柱状部７１とディスク記録／読取装置およびスピーカボックス５２のいずれか一方との間に介装される振動吸収材７２とを備えている。この振動吸収材７２がキャップ状に形成されているため、振動吸収材７２の柱状部７１への取付を簡易に行うことができる。また、ボルトナットやねじを用いること無く振動吸収材７２を柱状部７１に取り付けることができるので、従来に比べて部品数を削減できる。従って、生産性を向上できる。【選択図】図４
2009038625.tif 000002
【特許請求の範囲】
【請求項１】
ディスク状の記録媒体に対する情報の記録、および前記記録媒体に記録された情報の読取のうち、少なくともいずれか一方を実行するディスク記録／読取装置と、音声を出力するスピーカ装置と、これらを内部に収納保持する筐体とを備えた音声出力装置であって、
前記筺体には、前記ディスク記録／読取装置および前記スピーカ装置のうち、少なくともいずれか一方を支持する支持柱が立設され、
前記支持柱は、前記筺体と一体的に形成された柱状部と、前記柱状部と前記ディスク記録／読取装置および前記スピーカ装置のうち少なくともいずれか一方との間に介装される振動吸収材と、を備え、
前記振動吸収材は、キャップ形状に形成され、かつ、前記柱状部を覆うように取り付けられていることを特徴とする音声出力装置。
【請求項２】
請求項１に記載の音声出力装置において、
前記柱状部は、ねじ穴を有し、
前記振動吸収材は、前記柱状部が挿入される挿入穴と、前記ねじ穴に対応する位置に形成された挿通孔とを有し、
前記ディスク記録／読取装置および前記スピーカ装置のうち、少なくともいずれか一方は、前記挿通孔を介して前記ねじ穴に螺合するねじが挿通される固定用孔を有する腕部を備えていることを特徴とする音声出力装置。
【請求項３】
請求項２に記載の音声出力装置において、
前記スピーカ装置は、振動板を有するスピーカと、当該スピーカを内部に収納するスピーカボックスとを備え、
前記スピーカボックスは、当該スピーカボックスにおける前記振動板が配置された側に前記腕部を備えていることを特徴とする音声出力装置。
【請求項４】
請求項１から請求項３のいずれかに記載の音声出力装置と、光源装置と、前記光源装置から射出された光束を画像情報に基づいて変調する光変調装置と、前記光変調装置にて変調された光束を拡大投射する投射光学装置とを備えることを特徴とする画像表示装置。
【発明の詳細な説明】
【技術分野】
【０００１】
本発明は、音声出力装置および画像表示装置に関する。
【背景技術】
【０００２】
従来、音楽や映像等の情報をＣＤ（Compact Disc）やＤＶＤ(Digital Versatile Disc)等のディスクに記録したり、当該ディスクに記録された情報を読み取るディスク記録／読取装置と、読み取った情報に含まれる音声情報に基づく音声を出力するスピーカ装置と、これらを内部に収納保持する筐体とを備えた音声出力装置が知られている。このような従来の音声出力装置では、ディスク記録／読取装置とスピーカ装置とが筐体を介して繋がっているため、スピーカ装置を大音量となるように駆動させた場合、スピーカ装置の振動が筐体を介してディスク記録／読取装置に伝達されてしまい、ディスク記録／読取装置の読み取りにミスが発生して音飛びが生じるおそれがあった。
【０００３】
このような課題に対し、ディスク記録／読取装置と筐体との間に振動吸収材が配設された音声出力装置が知られている（例えば、特許文献１）。前記特許文献１の音声出力装置では、スピーカ装置を大音量となるように駆動させた場合、スピーカ装置の振動は、支持柱を通ってディスク記録／読取装置へ伝達されることとなるが、支持柱が振動吸収材を有しているので、当該振動を振動吸収材で減衰させることができる。従って、ディスク記録／読取装置に伝達される振動を伝えづらくすることができ、ディスク記録／読取装置の読み取りミスを抑制することができる。
【０００４】
【特許文献１】米国特許６,９６６,６５１号公報
【発明の開示】
【発明が解決しようとする課題】
【０００５】
しかしながら、前記特許文献１の音声出力装置では、振動吸収材は、平板状に形成され、筐体に対してボルトナット、もしくはねじによって固定されている。筐体には、前記ボルトが挿通する固定用孔、もしくは前記ねじが螺合するねじ穴が形成されている。そのため、前記特許文献１の音声出力装置では、部品数が多いうえ、ディスク記録／読取装置の設置位置を変更するたびに固定用孔もしくはねじ穴の位置を設定し直さなければならず、製造作業が煩雑であるという問題があった。
【０００６】
本発明の目的は、生産性を向上できる音声出力装置、および前記音声出力装置を備えた画像表示装置を提供することにある。
【課題を解決するための手段】
【０００７】
本発明の音声出力装置は、ディスク状の記録媒体に対する情報の記録、および前記記録媒体に記録された情報の読取のうち、少なくともいずれか一方を実行するディスク記録／読取装置と、音声を出力するスピーカ装置と、これらを内部に収納保持する筐体とを備えた音声出力装置であって、前記筺体には、前記ディスク記録／読取装置および前記スピーカ装置のうち、少なくともいずれか一方を支持する支持柱が立設され、前記支持柱は、前記筺体と一体的に形成された柱状部と、前記柱状部と前記ディスク記録／読取装置および前記スピーカ装置のうち少なくともいずれか一方との間に介装される振動吸収材と、を備え、前記振動吸収材は、キャップ形状に形成され、かつ、前記柱状部を覆うように取り付けられていることを特徴とする。
【０００８】
本発明によれば、振動吸収材がキャップ状に形成されているため、振動吸収材の柱状部への取付を簡易に行うことができる。また、ボルトナットやねじを用いることなく柱状部に取り付けることができるので、部品数を削減できる。従って、生産性を向上できる。
加えて、スピーカ装置およびディスク記録／読取装置の少なくとも一方が振動吸収材を介して柱状部に支持されているので、スピーカ装置を大音量となるように駆動させたとしても、スピーカ装置から伝達される振動を振動吸収材で減衰させることができる。従って、スピーカ装置で生じた振動をディスク記録／読取装置に伝えづらくすることができ、ディスク記録／読取装置の記録ミスを抑制することができる。また、ディスク記録／読取装置の読取ミスを抑制することができ、音飛びの発生を防止できる。特に、ディスク記録／読取装置を支持する支持柱が振動吸収材を有していれば、スピーカ装置によって生じる振動だけでなく、他の構成および事情によって生じた振動によるディスク記録／読取装置の記録ミスおよび読取ミスも抑制することができる。
スピーカ装置およびディスク記録／読取装置の少なくとも一方を、断面積の小さい支持柱によって支持しているので、ディスク記録／読取装置に振動を伝達する振動伝達面積を小さくすることができ、よりディスク記録／読取装置に振動を伝えづらくすることができる。
【０００９】
本発明の音声出力装置では、前記柱状部は、ねじ穴を有し、前記振動吸収材は、前記柱状部が挿入される挿入穴と、前記ねじ穴に対応する位置に形成された挿通孔とを有し、前記ディスク記録／読取装置および前記スピーカ装置のうち、少なくともいずれか一方は、前記挿通孔を介して前記ねじ穴に螺合するねじが挿通される固定用孔を有する腕部を備えていることが好ましい。
【００１０】
ここで、「挿入穴」における「穴」とは、柱状部を貫通しないことを意味し、「挿通孔」における「孔」とは、柱状部（挿入穴の底面と柱状部の端面との間）を貫通することを意味している。
本発明によれば、スピーカ装置およびディスク記録／読取装置の少なくとも一方は腕部を備えているので、簡単に当該一方の装置を支持柱にねじ止めすることができる。また、腕部の柱状部から離れる側への動きがねじによって制限されているので、この腕部により、振動吸収材が伸張することを抑えることができる。従って、振動吸収材によって振動をより吸収することができ、スピーカ装置で生じた振動を一層ディスク記録／読取装置に伝えづらくすることができる。
【００１１】
本発明の音声出力装置では、前記スピーカ装置は、振動板を有するスピーカと、当該スピーカを内部に収納するスピーカボックスとを備え、前記スピーカボックスは、当該スピーカボックスにおける前記振動板が配置された側に前記腕部を備えていることが好ましい。
本発明によれば、スピーカ装置における振動の発生源である振動板の近傍（スピーカボックスにおける振動板が配置された側）に設けられた腕部を振動吸収材で支持するので、当該振動吸収材によって一層振動を吸収することができる。従って、スピーカ装置で生じた振動をより一層ディスク記録／読取装置に伝えづらくすることができる。
【００１２】
本発明の画像表示装置は、前述の音声出力装置と、光源装置と、前記光源装置から射出された光束を画像情報に基づいて変調する光変調装置と、前記光変調装置にて変調された光束を拡大投射する投射光学装置とを備えることを特徴とする。
【００１３】
本発明によれば、前述の音声出力装置と同様の効果を享受できる。
また、音声出力装置を構成し、かつ、ディスクからの情報の読み取りミスが防止されるディスク記録／読取装置は、当該ディスクからの音声情報だけでなく、光変調装置での光の変調に際して利用される画像情報も取得する。これによれば、ディスク記録／読取装置による画像情報の読み取りミスを防止することができるので、画像を停滞することなく形成投射することができる。
【発明を実施するための最良の形態】
【００１４】
以下、本発明の一実施形態を図面に基づいて説明する。
〔全体構成〕
図１は、本実施形態に係る画像表示装置の一例であるプロジェクタ１のアッパーケースを取り外した状態の斜視図である。なお、図１では、説明の便宜上、画像の投射方向を＋Ｚ軸とし、＋Ｚ軸の反対方向を−Ｚ軸とし、これら±Ｚ軸に直交する２軸を±Ｘ軸（水平軸）および±Ｙ軸（垂直軸）とする。以下の図面も同様である。
プロジェクタ１は、ＣＤ（Compact Disc）やＤＶＤ(Digital Versatile Disc)等のディスクに記録された画像情報および音声情報を読み取り、光源から射出される光束を前記画像情報に基づいて変調して画像光（画像）を形成し、形成した画像をスクリーン（図示略）上に拡大投射するとともに、前記音声情報を発音（出力）するものである。
【００１５】
このプロジェクタ１は、図１に示すように、筐体２と、筐体２の内部に収納された光学ユニット３、ディスク記録／読取装置４、およびスピーカ装置５（図３参照）とを備えている。
筐体２は、図示略のアッパーケースと、ロアーケース２２と、これらの内側に形成された内部空間を上部空間（＋Ｙ側の空間）と下部空間（−Ｙ側の空間）とに区画する区画板２１とを備えている。
上部空間には、光学ユニット３が収納されている。また、上部空間には図示を略したが、プロジェクタ１内部の各構成部材に電力を供給する電源ユニットや、各構成部材を制御する制御装置等が収納されている。
下部空間には、ディスク記録／読取装置４およびスピーカ装置５が収納されている。本実施形態では、これらディスク記録／読取装置４およびスピーカ装置５と、これらを内部に形成される下部空間内に収納する区画板２１およびロアーケース２２とを含んで音声出力装置６が構成されている。なお、区画板２１およびロアーケース２２から本発明の筐体が構成される。
【００１６】
〔光学ユニットの構成〕
図２は、光学ユニット３の構成を模式的に示す図である。
光学ユニット３は、前記制御装置による制御の下、光源から射出された光束を光学的に処理して画像情報に対応した画像を形成し、スクリーンに拡大投射する。この光学ユニット３は、図２に示すように、光源装置３１と、照明光学装置３２と、色分離光学装置３３と、リレー光学装置３４と、光学装置３５と、投射光学装置としての投射レンズ３６と、光学部品用筐体３７とを備えている。なお、上述した各光学部品３１〜３７は、種々の一般的なプロジェクタの光学系として利用されているため、以下ではその具体的な説明は省略する。
【００１７】
光源装置３１は、光源ランプ３１１やリフレクタ３１２等を有する。照明光学装置３２は、レンズアレイ３２１，３２２、偏光変換素子３２３、および重畳レンズ３２４等を有する。色分離光学装置３３は、ダイクロイックミラー３３１，３３２、および反射ミラー３３３等を有する。リレー光学装置３４は、入射側レンズ３４１、リレーレンズ３４２、および反射ミラー３４３，３４４等を有する。光学装置３５は、前記制御装置による制御の下、光源装置３１から射出された光束を画像情報に基づいて変調する３つの液晶パネル３５１（赤色光側を液晶パネル３５１Ｒ、緑色光側を液晶パネル３５１Ｇ、青色光側を液晶パネル３５２Ｂとする）、３つの入射側偏光板３５２、および３つの射出側偏光板３５３にて変調された光束を合成して画像を形成する色合成光学装置としてのクロスダイクロイックプリズム３５４等を有する。投射レンズ３６は、画像を拡大投射する。光学部品用筐体３７は、これら各光学部品３１〜３６を内部に設定された照明光軸Ａに対する所定位置に配置する。
【００１８】
〔音声出力装置の構成〕
図３は、ディスク記録／読取装置４およびスピーカ装置５の配置を示す平面図である。
音声出力装置６は、前述したように、本発明の筐体を構成する区画板２１およびロアーケース２２と、これら区画板２１およびロアーケース２２の内側に形成される下部空間内に収納保持されたディスク記録／読取装置４およびスピーカ装置５とを備えている。
ロアーケース２２は、図１および図３に示すように、矩形状の底面２２１と、底面２２１の縁部に沿って立設された±Ｚ方向の側面２２２Ａ，２２２Ｂおよび±Ｘ方向の側面２２２Ｃ，２２２Ｄとを備え、＋Ｙ方向側が開口した箱状に形成されている。なお、この開口は、区画板２１によって閉塞されている。
＋Ｚ方向の側面２２２Ａにおいて、ディスク記録／読取装置４の配置位置に対応した位置にはディスク投入口２２３が形成されている。＋Ｘ方向の側面２２２Ｃおよび−Ｘ方向の側面２２２Ｄにおいて、スピーカ装置５の配置位置に対応した位置には、それぞれメッシュで覆われた開口２２４が形成されている。底面２２１には支持柱７が複数立設されている。
【００１９】
〔ディスク記録／読取装置の構成〕
ディスク記録／読取装置４は、ディスク投入口２２３を介して内部に挿入されたディスクを回転させるモータと、回転するディスクに光スポットを照射して当該ディスクに記録された画像情報および音声情報を取得するピックアップとを備え、取得した画像情報を制御装置を介して光学ユニット３に出力するとともに、取得した音声情報を制御装置を介してスピーカ装置５に出力する。このようなディスク記録／読取装置４は、図３に示すように、＋Ｚ軸方向側面２２２Ａと−Ｘ軸方向側面２２２Ｄとの入隅に配置されている。
ディスク記録／読取装置４の略四隅には、当該ディスク記録／読取装置４から側方（±Ｘ方向）に向かって延びる腕部４１が設けられている。腕部４１にはそれぞれ固定用孔４２が形成されている。これらの腕部４１は、後述するスピーカ装置５の腕部５２４と同様の構成で支持柱７に取り付けられるので、ここではその説明を省略する。
【００２０】
〔スピーカ装置の構成〕
図４は、スピーカ装置５の斜視図、図５は、スピーカ装置５の断面図である。
スピーカ装置５は、−Ｘ方向の側面２２２Ｄと−Ｚ方向の側面２２２Ｂとの入隅、および＋Ｘ方向の側面２２２Ｃと−Ｚ方向の側面２２２Ｂとの入隅に配置されている（図３参照）。
このスピーカ装置５は、図４および図５に示すように、スピーカ５１と、スピーカ５１を収納するスピーカボックス５２とを備えている。
【００２１】
〔スピーカの構成〕
スピーカ５１は、振動板５１１と、振動板５１１と一体的に設けられ外周面にボイスコイルが巻き回された図示しないコイルボビンと、音声情報に基づいてコイルボビンを振動させる図示しない磁気回路部とを備えている。振動板５１１は金属製とされている。これにより、本実施形態のスピーカ５１は高音域の発音能力が高くなっている。スピーカ５１のその他の構成は一般的な構成であるため、ここではその詳細な説明を省略する。
【００２２】
〔スピーカボックスの構成〕
スピーカボックス５２は、図５に示すように、スピーカ５１が取り付けられた前部側が大きく、後部側が小さく形成されている。このスピーカボックス５２は、位相反転型（バスレフ型）とされており、内部には、スピーカ５１の振動板５１１の後面から発生する音波の位相を反転させ、振動板５１１の前面から発生する音波の位相に揃えて外部に放出するバスレフ孔５２１が一対形成されている。
図４に示すように、このようなスピーカボックス５２の正面（±Ｘ方向の側面２２２Ｃ，２２２Ｄに対向配置される面）５２Ａには、スピーカ取付用開口５２２と、バスレフ孔５２１に接続される一対のバスレフ用開口５２３とが形成されている。また、スピーカボックス５２の側面５２Ｂ（±Ｚ方向の面）において正面５２Ａ側、すなわち振動板５１１の近傍には、当該スピーカボックス５２から側方（±Ｚ方向）に向かって延びる一対の腕部５２４が設けられている。腕部５２４には、固定用孔５２５が形成されている。
【００２３】
〔支持柱の構成〕
支持柱７は、図４に示すように、ボス７１と、ボス７１に取り付けられる振動吸収材７２とを備えている。
ボス７１は、本発明の柱状部であり、ロアーケース２２と一体かつ円柱状に形成されている。ボス７１には、ねじ穴７１１が形成されている。
振動吸収材７２は、内部損失の大きなゴム等の樹脂製とされ、かつ、外形が円柱状とされている。この振動吸収材７２には、ボス７１が挿入される挿入穴７２１と、ねじ穴７１１に対応した位置に形成された挿通孔７２２とが形成されている。すなわち、振動吸収材７２は、キャップ状に形成されている。
【００２４】
〔スピーカ装置の支持柱への取付方法〕
まず、ボス７１に振動吸収材７２を嵌め込む。そして、スピーカ装置５の各腕部５２４にねじ５２６を挿通し、当該ねじ５２６を振動吸収材７２を介してボス７１に螺合することで、スピーカ装置５をボス７１に固定することができる。
【００２５】
〔本実施形態の効果〕
上述した本実施形態のプロジェクタ１によれば、以下の効果がある。
すなわち、ディスク記録／読取装置４およびスピーカ装置５が共にボス７１および振動吸収材７２からなる支持柱７によって支持されているので、スピーカ装置５を大音量となるように駆動させたとしても、スピーカ装置５から伝達される振動を振動吸収材７２で減衰させることができる。従って、スピーカ装置５で生じた振動をディスク記録／読取装置４に伝えづらくすることができるので、ディスク記録／読取装置４のピックアップが振動によって揺動してしまい、ディスクから音声情報および画像情報を読み取ることをミスしてしまうことを防止できる。よって、音飛びの発生を抑制することができる。また、画像を停滞することなく形成投射することができる。
【００２６】
ディスク記録／読取装置４を、断面積の小さい支持柱７によって支持しているので、ディスク記録／読取装置４に振動を伝達する振動伝達面積を小さくすることができ、よりディスク記録／読取装置４に振動を伝えづらくすることができる。
また、スピーカボックス５２の側面５２Ｂにおける正面５２Ａ側、すなわち振動の発生源である振動板５１１の近傍に腕部５２４が形成されており、この腕部５２４を振動吸収材７２で支持するので、十分に振動を吸収することができる。従って、ディスク記録／読取装置４に一層振動を伝えづらくすることができる。
腕部５２４のボス７１から離れる側への動きがねじ５２６によって制限されているので、この腕部５２４によって振動吸収材７２が伸張することを抑えることができる。従って、振動吸収材７２により、ディスク記録／読取装置４により一層振動を伝えづらくすることができる。
【００２７】
振動吸収材７２がキャップ状に形成されているため、振動吸収材７２をボス７１に嵌め込むことができ、振動吸収材７２のボス７１への取付を簡略化できる。また、振動吸収材７２をボルトナットやねじを用いることなくボス７１に取り付けることができるので、振動吸収材を筐体にボルトナットもしくはねじによって固定していた従来に比べ、生産性の向上を図ることができる。
【００２８】
〔実施形態の変形〕
なお、本発明は前述の実施形態に限定されるものではなく、本発明の目的を達成できる範囲での変形、改良等は本発明に含まれるものである。
前記実施形態では、振動吸収材７２を備えた支持柱７は、スピーカ装置５を支持していたが、ディスク記録／読取装置４を支持していてもよい。
前記実施形態では、スピーカ装置５は、支持柱７にねじ５２６固定されていたが、接着剤や両面テープ等の接着部材によって支持柱７に接着されていてもよい。
前記実施形態では、ディスク記録／読取装置４は、回転するディスクに光スポットを照射して当該ディスクに記録された情報を取得するピックアップを有していたが、磁気ディスクに近接して当該ディスクに記録された情報を取得する磁気ヘッドを有していてもよい。すなわち、ディスク記録／読取装置は、ＨＤＤ(Hard disk drive)であってもよい。
また、前記実施形態では、ディスク記録／読取装置は、ディスクに対する情報の記録およびディスクに記録された情報の読取の両方を実行していたが、少なくともいずれか一方を実行できればよい。
【００２９】
前記実施形態では、画像表示装置の一例としてスクリーンを観察する方向から投射を行うフロントタイプのプロジェクタの例のみを挙げたが、本発明は、スクリーンを観察する方向とは反対側から投射を行うリアタイプのプロジェクタにも適用可能である。また、本発明は、プロジェクタ以外にもＣＤプレイヤー等の音響機器に広く利用できる。
前記実施形態では、光入射面と光射出面とが異なる透過型の液晶パネルを用いていたが、光入射面と光射出面とが同一となる反射型の液晶パネルを用いてもよい。また、前記実施形態では、光変調装置として液晶パネルを用いていたが、マイクロミラーを用いたデバイスなど、液晶以外の光変調装置を用いてもよい。この場合は、光束入射側および光束射出側の偏光板３５２，３５３は省略できる。
【産業上の利用可能性】
【００３０】
本発明の音声出力装置は、プレゼンテーションやホームシアタに用いられるプロジェクタ等の画像表示装置に利用できる。
【図面の簡単な説明】
【００３１】
【図１】本発明の一実施形態に係るプロジェクタのアッパーケースを取り外した状態の斜視図。
【図２】前記実施形態における光学ユニットの構成を模式的に示す図。
【図３】前記実施形態におけるディスク記録／読取装置およびスピーカ装置の配置を示す平面図。
【図４】前記実施形態におけるスピーカ装置を示す斜視図。
【図５】前記実施形態におけるスピーカ装置を示す断面図。
【符号の説明】
【００３２】
１…プロジェクタ（画像表示装置）、４…ディスク記録／読取装置、５…スピーカ装置、６…音声出力装置、７…支持柱、２１…区画板（筐体）、２２…ロアーケース（筐体）、３１…光源装置、３６…投射レンズ（投射光学装置）、４１，５２４…腕部、４２，５２５…固定用孔、５１…スピーカ、５２…スピーカボックス、７１…ボス（柱状部）、７２…振動吸収材、３５１…液晶パネル（光変調装置）、５１１…振動板、５２６…ねじ、７１１…ねじ穴、７２１…挿入穴、７２２…挿通孔。
【図１】
2009038625.tif 000003
【図２】
2009038625.tif 000004
【図３】
2009038625.tif 000005
【図４】
2009038625.tif 000006
【図５】
2009038625.tif 000007